(57)【要約】【課題】  簡素で低廉で実用性が高い家庭用２配管式風呂釜の洗浄剤の供給用具を提供する。【解決手段】  先端がテーパ形状の弾性体でその反発力により風呂釜に連通した管路入口に差し込んで固定できる配管材（１）と柔軟で屈曲容易なホース（２）とを接着剤で接着するかホースバンド（３）で締め付けて接続し、該ホース（２）のもう一方端側に塑性変形により鉤形に屈曲させて浴槽の縁に掛け下げることができる棒状材または帯状材（４）とをプラスチックバンド（５）で締め付けて接続する。２配管なので前記の通り接続したものを２組用意し該ホース（２）の開放側から洗浄剤の溶液を満杯に成るまで流し込むことができる配置とする。【選択図】図１
0003159958.tif 000002
【実用新案登録請求の範囲】
【請求項１】
先端がテーパー形状であり弾性体であり風呂釜に連通した管路入口に強く差し込むとその反発力で固定できる配管材と柔軟で屈曲容易なホースと鉤形に塑性変形で屈曲させた状態で浴槽の縁に掛け下げることができる棒状材または帯状材とを順に連結して成り該ホースの開放側から洗浄剤の溶液を風呂釜内に供給し充満させることができる様にしたことを特徴とする、家庭用２配管式風呂釜の洗浄剤の供給用具。
【請求項２】
風呂釜に連通した管路入口内径寸法の種類が複数有るのに対してその寸法に適合させるために前項の配管材を複数種附属させたことを特徴とする、請求項１の家庭用２配管式風呂釜の洗浄剤の供給用具。
【考案の詳細な説明】
【技術分野】
【０００１】  本考案は家庭用２配管式風呂釜の洗浄剤の供給を容易にしさらに洗浄効果を高めることに関するものである。
【背景技術】
【０００２】  特許出願２０００−１５４２６９
実用新案出願２００４−５９９２
特許出願２００６−２１８５３０
特許出願２００６−２７４４８７
特許出願２００６−３０２１１３
実用新案出願２００８−４７７１
実用新案出願平５−１０８８２
特許出願平１１−１２１１１３
特許出願２０００−６４６６９
特許出願２００２−３４０２８２
特許出願２００３−１２４５２３
実用新案出願２００５−３５９８
等がある。
【考案の開示】
【考案が解決しようとする課題】
【０００３】  特許出願２０００−１５４２６９
実用新案出願２００４−５９９２
特許出願２００６−２１８５３０
特許出願２００６−２７４４８７
特許出願２００６−３０２１１３
実用新案出願２００８−４７７１
については構成や構造が複雑であるため費用がかさむばかりでなく、取り付け、取り外し、操作、収納に手間がかかる問題が有った。【０００４】  実用新案出願平５−１０８８２
については水流で洗剤を溶かしながら風呂釜内に流し込むものであるが、洗剤を高濃度で長時間持続させることが難しいのと洗剤の補給が面倒であり、費用がかさんでしまう問題が有った。
特許出願平１１−１２１１１３
については専用のスプレー方式であるが、使用頻度によっては費用がかさむ問題が有った。【０００５】  特許出願２０００−６４６６９
特許出願２００２−３４０２８２
特許出願２００３−１２４５２３
実用新案出願２００５−３５９８
については洗浄剤の溶液をその容器の伸縮性を利用して手の握力で押し出しと吸引を繰り返して風呂釜内へ送り込むものであるが、洗浄剤の溶液は入り口付近で行ったり戻ったりするだけで奥の隅々までなかなか行き渡らないことと、浴槽の水が混じるにつれて洗浄剤の濃度が低くなり洗浄効果が低くなることと、使用頻度を多くすると費用がかさむと言う問題が有った。
【課題を解決するための手段】
【０００６】  本考案の家庭用２配管式風呂釜の洗浄剤の供給用具は、風呂釜の配管に差し込まれる先端の外形がテーパ状の弾性体の配管材と屈曲自在のゴムまたはプラスチック製のホースとを接着剤で接着またはホースバンドで締め付けて接続し、該ホースの反対側に芯が金属でゴム状のものが被覆してあり塑性変形自在の棒状材か帯状材をプラスチックバンドで締め付けて取り付けた状態とし、ノズル状の配管材は先端外径が風呂釜の浴槽内の管路入口の内径に合わせて管路に差し込める寸法にしてあるのを強く差し込んで固定し、もう一方の棒状材または帯状材は先端を鉤状に曲げて浴槽の縁に引っ掛ける。本考案の用具は浴槽内の水を排水した状態で取り付け、該ホースの開放側から洗浄剤の溶液を満杯に成るまで流し込んで適宜放置する。該用具は風呂釜内の湯垢が軟化し浮き上がった頃を見計らって取り外す。風呂釜内の湯垢は別途ジェット水流で洗い流し出す。
【考案の効果】
【０００７】  本考案の用具は、先端外形がテーパ状の弾性体の配管材を風呂釜の管路に合わせて強く差し込み反発力で固定して該配管材にホースを接続してこのホースのもう一方端の方に取り付けた棒状材または帯状材を浴槽の縁に引っ掛けた状態にして置くだけの簡素なものなので低廉でありまた取り扱いが容易である。【０００８】  また、洗浄剤の溶液が最少量で濃度の高い状態のまま風呂釜内に充満させて放置して置くだけのものであり単純でありながら洗浄効果が特に大きい。
【考案を実施するための最良の形態】
【０００９】  風呂釜に連通する管路の入口に差し込む配管材は先端側の外形がテーパ状であり材質はゴム状のものであり管路入口内径に合わせた寸法のものを選び強く差し込み配管材の弾性の反発力で固定する。【００１０】  該配管材に略蛇腹状に伸縮するゴムまたはプラスチック製のホースを差し込んで接着剤で接着するかまたはホースバンドで締め付けて接続する。【００１１】  該ホースの開放側寄りには金属の芯でゴムまたはプラスチックが被覆してあり塑性変形自在の棒状材または帯状材をプラスチックバンドで締め付けた状態で接続し該棒状材または帯状材は余った部分を鉤状に曲げて浴槽の縁に引っ掛ける。【００１２】  ホースの開放側から洗浄剤の溶液を満杯に成るまで流し込んで適宜放置できる様にする。
【実施例】
【００１３】  本考案を図面に示す実施例に基づき説明する。図１は本考案器具の使用状態を示す簡略説明図である。風呂釜（９）が上側の配管７または下側の配管（８）を通して浴槽（６）へ給湯するかまたは浴槽内の水を下側の配管（８）から風呂釜（９）内に導入し加熱し上側の配管（７）から浴槽（６）へ戻しながら温める追い炊きができる方式である。本考案用具を順に説明すると先ず配管材（１）は軟質のゴム製であり先端の外形がテーパ状でその先端の外径寸法が管路（７または８）の管路内径寸法に合わせて同じであるものを選び管路（７および８）の入口に強く差し込み配管材（１）の弾性の反発力で固定する。続いて略蛇腹状に伸縮するプラスチック製のホース（２）を配管材（１）に差し込んでホースバンド（３）で締め付けて接続する。続いてホース（２）の他端には金属芯にプラスチックを被覆してあり塑性変形自在の棒状材（４）をプラスチックバンド（５）で締め付けて取り付ける。棒状材（４）はホース（２）へ取り付けた反対側を鉤状に折り曲げて浴槽（６）の縁に引っ掛ける。該ホース（２）の開放側から洗浄剤の溶液を満杯に成るまで流し込んで適宜放置できる様に配置する。
【図面の簡単な説明】
【００１４】
【図１】本考案用具の使用状態を示した簡略説明図である。
【図２】先端の外形がテーパ状で弾性体の配管材の概略図（側面図）である。
【図３】屈曲自在のホースの概略図（側面図）である。
【図４】金属芯にゴムまたはプラスチックが被覆してあり塑性変形自在の棒状材または帯状材の概略図（側面図）である。
【図５】ホースバンドの概略図（正面図）である。
【図６】プラスチックバンドの概略図（側面図）である。
【符号の説明】
【００１５】    １    配管材
２    ホース
３    ホースバンド
４    棒状材または帯状材
５    プラスチックバンド
６    浴槽
７    上側配管
８    下側配管
９    風呂釜
【図１】
0003159958.tif 000003
【図２】
0003159958.tif 000004
【図３】
0003159958.tif 000005
【図４】
0003159958.tif 000006
【図５】
0003159958.tif 000007
【図６】
0003159958.tif 000008
【手続補正書】
【提出日】平成22年3月8日(2010.3.8)
【手続補正１】
【補正対象書類名】実用新案登録請求の範囲
【補正対象項目名】全文
【補正方法】変更
【補正の内容】
【実用新案登録請求の範囲】
【請求項１】
先端がテーパー形状であり弾性体であり風呂釜に連通した管路入口に強く差し込むとその反発力で固定できる配管材と柔軟で屈曲容易なホースと鉤形に塑性変形で屈曲させた状態で浴槽の縁に掛け下げることができる棒状材または帯状材とを順に連結して成り該ホースの開放側から洗浄剤の溶液を風呂釜内に供給し充満させることができる様にしたことを特徴とする、家庭用２配管式風呂釜の洗浄剤の供給用具。
【請求項２】
風呂釜に連通した管路入口内径寸法の種類が複数有るのに対してその寸法に適合させるために前記配管材を複数種附属させたことを特徴とする、請求項１の家庭用２配管式風呂釜の洗浄剤の供給用具。